(57)【要約】【課題】釣り糸と、釣り用具に接続して使用する挿通環との接触を少なくすることにより、釣り用具が釣り糸に対して摺動抵抗の少ない状態で摺動し得るようにする。【解決手段】釣り用具に一部を接続し、釣り糸12を開口部13に挿通して釣り用具と釣り糸12を釣り糸12の摺動可能に接続する釣り糸挿通用の挿通環に於いて、挿通環本体11を釣り用具の軸方向に対して交差する方向に折曲し、挿通環本体11の開口部13を釣り用具の軸方向に対して交差する方向に突出する。【選択図】図１
2005168453.tif 000002
【特許請求の範囲】
【請求項１】
釣り用具に一部を接続し、釣り糸を開口部に挿通して釣り用具と釣り糸を、釣り糸の摺動可能に接続する釣り糸挿通用の挿通環に於いて、挿通環本体を釣り用具の軸方向に対して交差する方向に折曲し、挿通環本体の開口部を釣り用具の軸方向に対して交差する方向に突出したことを特徴とする釣り糸挿通環。
【請求項２】
釣り用具は、浮子であって、この浮子の下端に挿通環本体の一部を接続したことを特徴とする請求項１の釣り糸挿通環。
【請求項３】
釣り用具は、ヨリモドシであって、このヨリモドシの一端に挿通環本体の一部を接続したことを特徴とする請求項１の釣り糸挿通環。
【請求項４】
挿通環本体は、釣り用具に揺動及び／または回動可能に接続したことを特徴とする、請求項１、２または３の釣り糸挿通環。
【発明の詳細な説明】
【技術分野】
【０００１】
本発明は、釣り用具に接続して使用する挿通環に係り、釣り糸を挿通し、釣り用具が釣り糸に対して抵抗の少ない状態で摺動し得るようにしたものである。
【背景技術】
【０００２】
釣り糸に浮子やオモリ、目印等の釣り用具を摺動可能に接続する方法が従来より用いられている。この釣り糸への釣り用具の摺動可能な接続は、釣り用具に接続した釣り用挿通環に釣り糸を挿通することにより行われている。そして例えば、浮子を釣り用挿通環を介して釣り糸に摺動可能に接続する場合は、図５、図６に示す如く、浮子に接続した釣り用挿通環に釣り糸を挿通することにより行われている。この場合、釣り糸にオモリを固定し、釣り糸の水深に対応する位置に浮子止めを固定した状態で、水中への投入が行われている。この投入時に、浮子は沈下せずに浮子止めと接触するまで水面に浮上しており、最終的に浮子止めに接触して水面に保持されるのが最も好ましいものである。
【０００３】
しかしながら、従来の挿通環は、図５に示す如く、釣り糸（１）を挿通するための挿通環（２）を、釣り用具である浮子（３）の下端軸方向に突出して接続したもので、釣り糸（１）を挿通する開口部（４）も浮子（３）の軸方向と同一直線上に開口している。そして、この挿通環（２）に釣り糸（１）を挿通して水中に投入すると、装着したオモリにより水中を沈下する釣り糸（１）と浮力を有する浮子（３）は、逆方向に移動をしようとする。この時、挿通環（２）の開口部（４）が釣り用具である浮子（３）と同一直線上に開口しているため、図６に示す如く、開口部（４）の上下両端の内周面に釣り糸が接触し、釣り糸（１）と挿通環（２）との間に強い摺動抵抗を生じるものとなる。
【０００４】
このように、釣り糸（１）と挿通環（２）との間に強い摺動抵抗が生じると、釣り用具が浮子（３）であった場合には、オモリとともに水中に沈下してしまう。また、浮子（３）が最終沈下位置から水面に浮上する時も、挿通環（２）と釣り糸（１）との間に強い摺動抵抗を生じるものとなるため、浮子（３）の水面への浮上までに長時間を要するものとなる。そのため、この浮上までの間に魚のアタリがある確率が高くなり、この浮上中のアタリは判別できないものとなる。また、浮子（３）により水深を測定する際に、浮子（３）が長時間をかけて浮上するまでの間に潮の流れ等により別の位置に流された場合には、浮子（３）とオモリの距離は実際の水深よりもはるかに長いものとなるため、水深を正確に計ることができず、的確な位置に釣り餌を沈めることができない等の不具合を生じるものとなっていた。
【０００５】
そこで、特許文献１に示す如く、浮子による正確な水深の計測を目的とした浮子が従来より開発されている。この浮子は、内部に水深計を設けるとともに、下端軸方向にヨリモドシを接続するための係合環を形成している。そしてこの浮子を、ヨリモドシを介して釣り糸に装着し、水中に投入すると、オモリの重量により浮子が一旦底まで沈下するため、この時の水圧の変化により水深を計測するものである。
【特許文献１】特開２０００−３５０４０号公報
【発明の開示】
【発明が解決しようとする課題】
【０００６】
しかしながら、特許文献１に記載の浮子は、水深計を浮子の内部に設けなければならないため、製造可能な形状が限られていた。また、製造には多くの部品を必要とするため、組み立てが煩雑なものとなり、また、内部に水深計を設けていない従来の浮子（３）と比較して、製造コストも高価なものとなっていた。
【０００７】
また、特許文献１の浮子は、浮子として使用する場合は、下端の係合環にヨリモドシの一端を接続し、このヨリモドシの他端に接続した挿通環に釣り糸を挿通して水中に投下するものであるが、この挿通環の開口部は、ヨリモドシの軸方向と同一直線上に開口しているため、釣り糸が開口部の上下両端の内周面に接触して摺動抵抗が生じる。そのため、浮子として使用する場合に浮子が水面に浮上するまでに長時間を要し、浮上までの間に魚のアタリがあっても判別できないという問題は、依然として解消されないままであった。
【０００８】
本発明は、上述の如き課題を解決しようとするものであって、釣り用具に接続した挿通環に釣り糸を挿通して水中に投入した場合に、釣り糸と挿通環の開口部との接触を少なくすることにより、釣り糸と挿通環との摺動抵抗を低減し、釣り用具が釣り糸に対して抵抗の少ない状態で摺動し得るようにすることを目的としたものである。
【０００９】
そして、例えば釣り用具として浮子を使用した場合に、釣り糸と挿通環の開口部との摺動抵抗を減少し、浮子の水中への沈下を防止するか、沈下しても浮子の浮上速度の低下を防止して浮子を迅速に水面に浮上させることにより、浮子の浮上までの間に魚のアタリがあっても判別できないという不都合を少なくするとともに、水中で浮子の流される時間を短くし、できるだけ浮子をオモリの真上に浮上させることにより、迅速且つ正確に水深を計測し、的確な位置に釣り餌を沈めることを可能にしようとするものである。
【課題を解決するための手段】
【００１０】
釣り用具に一部を接続し、釣り糸を開口部に挿通して釣り用具と釣り糸を、釣り糸の摺動可能に接続する釣り糸挿通用の挿通環に於いて、挿通環本体を釣り用具の軸方向に対して交差する方向に折曲し、挿通環本体の開口部を釣り用具の軸方向に対して交差する方向に突出して成るものである。
【００１１】
また、釣り用具は、浮子であって、この浮子の下端に挿通環本体の一部を接続したものであってもよい。
【００１２】
また、釣り用具は、ヨリモドシであって、このヨリモドシの一端に挿通環本体の一部を接続したものであってもよい。
【００１３】
また、挿通環本体は、釣り用具に揺動及び／または回動可能に接続したものであってもよい。
【発明の効果】
【００１４】
本発明は、挿通環の開口部を釣り用具の軸方向に対して交差する方向に突出させることにより、釣り用具に接続した挿通環に釣り糸を挿通して水中に投入した場合に、水中に於ける釣り糸と挿通環の開口部との接触を少なくして、釣り糸と挿通環との間に生じる摺動抵抗を低減し、釣り用具が釣り糸に対して抵抗の少ない状態で摺動し得ることを可能にしたものである。
【実施例１】
【００１５】
本発明の第１実施例を図１及び図２に於いて説明すれば、（１０）は浮子であって、浮子（１０）の下端に金属製の挿通環本体（１１）を接続している。この挿通環本体（１１）は、浮子（１０）の軸方向に長尺な楕円形状とするとともに、この挿通環本体（１１）の釣り用具への接続側とは反対側の一端を、浮子（１０）の軸方向に対して交差する方向に折曲している。また、望ましくは浮子（１０）の軸方向に対して垂直方向に折曲する。尚、本実施例では、図２に示す如く、挿通環本体（１１）を浮子（１０）の軸方向に対して約４５°に折曲しているが、他の異なる実施例では、別の角度に折曲することも可能である。
【００１６】
そして、上記の如く挿通環本体（１１）に釣り糸（１２）を挿通し、オモリを装着して浮子（１０）を水中に投入する。この時、浮子（１０）を接続した挿通環本体（１１）と釣り糸（１２）との間に、摩擦による摺動抵抗が存在しなければ、浮子（１０）は水面に浮上したままとなるが、挿通環本体（１１）と釣り糸（１２）との間に摺動抵抗があれば、浮子（１０）は釣り糸（１２）とともに水中に沈下し、オモリが着底すると、浮力により挿通環本体（１１）と釣り糸（１２）との間に摺動抵抗を生じながら、釣り糸（１２）に沿って水面方向に浮上する。そのため、挿通環本体（１１）と釣り糸（１２）との間に摺動抵抗が強ければ、浮子（１０）の沈下は早くて浮上は遅くなり、摺動抵抗が弱ければ、浮子（１０）の沈下は遅く、浮上は迅速なものとなる。
【００１７】
本実施例では、挿通環本体（１１）を浮子（１０）の軸方向に対して交差する方向に折曲しているため、開口部（１３）が浮子（１０）の軸方向に対して交差する方向に突出するものとなり、図１、図２に示す如く、釣り糸（１２）の沈下方向に対して大きな開口面積を確保することができるため、図５に記載の従来例とは異なり、開口部（１３）に挿通した釣り糸（１２）は、水中に於いて開口部（１３）の内周面と接触しにくくなる。従って、釣り糸（１２）と挿通環本体（１１）の開口部（１３）との間の摺動抵抗は弱いかゼロとなり、浮子（１０）は水中に沈下しないか、沈下しても浅い位置にしか沈下することがなく、また、沈下しても迅速に浮上する。
【００１８】
従って、沈下しても水中への沈下時間が短いために、水中で流されることが少なく迅速且つ正確に水深を計測し、的確な位置に餌を沈めることが可能となる。また、浮子（１０）が沈下しないか浮上までの時間が短いため、魚のアタリが取れる状態を迅速に作れることから、浮子（１０）が浮上するまでの間に釣り餌を取られてしまうという不都合を少なくすることができる。
【００１９】
また、この挿通環本体（１１）は、浮子（１０）とは別体に形成し、浮子（１０）に揺動及び回動可能に接続している。そのため、浮子（１０）とは独立して揺動及び回動し、潮の流れや竿の操作等により釣り糸（１２）が流された場合でも、挿通環本体（１１）が揺動及び回動することにより、挿通環本体（１１）や浮子（１０）に釣り糸（１２）が絡まることを防止することが可能となる。従って、釣り糸（１２）が絡まることにより、浮子（１０）の浮上速度が著しく低下するといった不都合を防ぐことが可能となる。
【００２０】
尚、本実施例で使用した浮子（１０）は立ち浮子であるが、他の異なる実施例では、あらゆる種類の浮子（１０）を使用することが可能である。
【実施例２】
【００２１】
また、上記第１実施例では、挿通環本体（１１）を浮子（１０）の下端に接続しているが、本発明の第２実施例では、図３に示す如く、挿通環本体（１１）を釣り用具であるスナップ付ヨリモドシ（１４）の一端に揺動及び回動可能に接続している。また、この釣り用具であるヨリモドシ（１４）の他端には、他の釣り用具を接続するための接続環（１５）を設けており、本実施例では、図３に示す如く、この接続環（１５）に、スナップ（１６）を介して浮子（１０）の下端に設けた係合環（１７）を接続している。
【００２２】
また、第２実施例においても第１実施例と同様に、釣り用具であるヨリモドシ（１４）の軸方向に対して約４５°に折曲している。そして、挿通環本体（１１）の開口部（１３）に第１実施例と同様の方法で釣り糸（１２）を挿通し、この状態で水中に投入すると、水中で釣り糸（１２）と挿通環本体（１１）の開口部（１３）とが接触しにくくなるため、水中に於ける釣り糸（１２）と挿通環本体（１１）との間に生じる摺動抵抗が弱いものとなり、スナップ（１６）を介して釣り用具であるヨリモドシ（１４）に接続した浮子（１０）を、迅速に浮上させることが可能となる。
【００２３】
そのため、下端軸方向に挿通環（２）を突出して形成した従来の浮子（１０）を、本実施例のヨリモドシ（１４）の他端にスナップ（１６）を介して接続して使用することにより、この浮子（１０）を迅速に浮上させることが可能となる。従って、釣り人は、以前から使い慣れた従来の浮子（１０）を使用することができるとともに、浮子（１０）を新たなものに買い換える必要がないため費用を低減することが可能となる。
【００２４】
また、釣り糸（１２）と挿通環（２）との摺動抵抗が生じないようにするという本発明の本来の目的と相反するものとなるが、本発明では、釣りの目的によっては、従来の挿通環（２）と釣り糸（１２）との関係よりも更に強い摺動抵抗を挿通環（２）と釣り糸（１２）との間に生じさせる使用方法も可能である。
【００２５】
上記の実施例では、挿通環本体（１１）の開口部（１３）の開口平面に対し、図１及び図３に示す如く、釣り糸（１２）を略垂直に挿通して挿通環本体（１１）と釣り糸（１２）との摺動抵抗を減少させているが、他の異なる実施例では、図４に示す如く、開口部（１３）の開口平面と平行に釣り糸（１２）が配置されるよう、釣り糸（１２）のオモリ接触側を挿通環本体（１１）の表面に配置し、釣り糸（１２）の竿接続側を挿通環本体（１１）の釣り具固定側の表面に挿通する。
【００２６】
このように釣り糸（１２）を挿通環本体（１１）の開口部（１３）に挿通することにより、釣り糸（１２）は挿通環本体（１１）の表面で下方に折曲されるとともに、挿通環本体（１１）の釣り具固定側でも折曲されるものとなり、釣り糸（１２）と挿通環本体（１１）とは強い摺動抵抗を生じるものとなる。そのため、釣り糸（１２）に装着した釣り餌が沈下する速度が、浮子（１０）の浮力によって著しく低下し、例えば、沈下するまでの間に釣り餌を徐々に分散させて、周囲の魚をおびき寄せることにより集魚効果を高める釣法において有効なものとなる。
【００２７】
尚、第１及び第２実施例では、挿通環本体（１１）を軸方向に長尺な楕円形状としているが、他の異なる実施例ではこれに限らず、円形、正方形等、あらゆる形状のものを使用することが可能である。
【図面の簡単な説明】
【００２８】
【図１】本発明の第１実施例を示す挿通環本体の斜視図。
【図２】第１実施例の拡大断面図。
【図３】本発明の第２実施例を示す挿通環本体の斜視図。
【図４】挿通環本体の斜視図。
【図５】従来例の斜視図。
【図６】従来例の断面図。
【符号の説明】
【００２９】
１０  浮子
１１  挿通環本体
１２  釣り糸
１３  開口部
１４  ヨリモドシ
【図１】
2005168453.tif 000003
【図２】
2005168453.tif 000004
【図３】
2005168453.tif 000005
【図４】
2005168453.tif 000006
【図５】
2005168453.tif 000007
【図６】
2005168453.tif 000008